(57)【要約】【課題】天然素材を使用し、環境への負荷を低減し緑化を推進できる土壌還元型植栽ブロックを提供する。【解決手段】南九州に豊富に存在する黒ボク土を主成分として、竹炭等の有機性多孔質体と、セメント等の付型剤とを混合して、その構成比率が容積比で６：２：２〜４：４：２の割合となるようにした植栽ブロックであって、植栽したブロックを施工することにより緑化が可能であり、しかも植物が定着した後に風化して土壌に還元されるため環境負荷が小さい土壌還元型植栽ブロック。【選択図】        図１
2006042668.tif 000002
【特許請求の範囲】
【請求項１】
黒ボク土を主成分とし、竹炭等の多孔質体と、セメント等の賦型剤とから構成される土壌還元型植栽ブロック。
【請求項２】
前記黒ボク土と竹炭等の多孔質体とセメント等の賦型剤との容積比が６：２：２〜４：４：２の割合であることを特徴とする請求項１記載の土壌還元型植栽ブロック。
【発明の詳細な説明】
【技術分野】
【０００１】
本発明は、植栽ブロックであって、とくに天然素材を使用した土壌還元型植栽ブロックに関するものである。
【背景技術】
【０００２】
近年、環境整備の分野では自然との調和や生態系の保護を視野に入れた施工計画の策定が重視されるようになり、これにより対処できる新たな技術の開発が求められている。特に傾斜地の多い地方では土壌浸食の防止対策が重要な課題の一つであり、植栽あるいはコンクリートによる様々な施工方法が検討されてきた。植栽による土壌保全は景観確保の面からも望ましく、さらに水系に近い場所では水質浄化にも寄与できることから積極的な利用が期待されているが、雑草との競合や土壌浸食の厳しい場所では植物が定着し難いという問題点があった。
【０００３】
これに対し、コンクリート技術を使用した植栽ブロックが注目されており、ポーラスコンクリート等を使用し、法面や水際などのコンクリート上に直接植栽できる植栽ブロックが提案されている。
【０００４】
しかしながら、上記の植栽ブロックはコンクリート構造物と一体に構成されて植栽が可能とされ、しかも半永久的にコンクリート構造物として存在するものであり、環境への負荷を無視できるものではなく、しかも前記ブロックの製造や施工には多大の費用を必要とするという問題点があった。
【０００５】
これらの問題点を解決するために、重量比で真砂土７０％〜８０％、ポルトランドセメント３〜５％、ノニオン系の界面活性剤適量を含む組成混合物に水を加えて調整された育成土壌上に芝を敷設し、前記芝の上からプレス圧を印加し、前記芝及び育成土壌を養生することにより、前記育成土壌は前記セメントによって周囲が実質的に周繞されている前記真砂土の各粒子が該セメントによって結合され多数の空隙を有するポーラス状に形成され、前記空隙に芝の根が張られ該芝及び育成土壌が一体に形成され透水性及び保水性を備えている緑化ブロックが提案され、最終処理の際に容易に破砕でき自然土に還元可能なブロックとして紹介されている（特許文献１参照。）。
【特許文献１】特開２００４−６５２５２号公報
【発明の開示】
【発明が解決しようとする課題】
【０００６】
しかしながら、上記特許文献１に提案されている緑化ブロックの場合、予め芝を育成土壌に敷設し、プレス圧を印加した後長期間の養生を必要とするため、製造に長時間を必要とするという問題点があり、しかも使用される植物も芝に限定される。
【０００７】
本発明は、上記の問題点に鑑みなされたもので、南九州に豊富に存在する安価な黒ボク土と竹炭とセメントを使用し、安価でしかも容易に製造できる土壌還元型植栽ブロックを提供することを目的とする。
【課題を解決するための手段】
【０００８】
このため本発明では、黒ボク土を主成分とし、竹炭等の多孔質体と、セメント等の賦型剤とから構成されることを第１の特徴とする。
【０００９】
また、前記黒ボク土と竹炭等の多孔質体とセメント等の賦型剤との容積比が６：２：２〜４：４：２の割合であることを第２の特徴とする。
【発明の効果】
【００１０】
本発明に係る土壌還元型植栽ブロックによれば、南九州に豊富に存在する黒ボク土を主成分として使用しているため、安価でありしかも植物の生育に必要な肥料成分が豊富であるという優れた効果を有する。
【００１１】
また、竹炭等の多孔質体とセメント等の賦型剤とから構成されており、前記土壌還元型植栽ブロック内部に前記竹炭等の多孔質体による多数の空隙が形成され、吸水性が高いという優れた効果を有する。
【００１２】
さらに、天然素材で構成されているため、植物が定着した後に風化し土壌に還元されるという優れた効果を有する。
【発明を実施するための最良の形態】
【００１３】
以下、本発明を実施例に基づいて説明するが、本発明が本実施例に限定されないことは言うまでもない。図１は本発明に係る土壌還元型植栽ブロックの一実施例を示す斜視図、図２は図１の模式断面面拡大図、図３は本発明に係る土壌還元型植栽ブロックの吸水速度を示す図、図４は本発明に係る土壌還元型植栽ブロックの発芽勢を示す図である。
【実施例】
【００１４】
図１、図２に示すように本発明に係る土壌還元型植栽ブロック１は、黒ボク土２と竹炭３とセメント４を所定の配合率で混合して構成されており、容積比で６：２：２〜４：４：２の割合でとくに４：４：２の割合が望ましく、これにセメント容積比１〜２の水を加えて所定の型にて成形される。
【００１５】
黒ボク土２は植物の生育に必要な肥料成分が豊富であり、固相が少なく孔隙が大きく多いため他の天然土材に比べ比重が軽く、また水持ちがよい特徴がある。竹炭３は粒度として１０ｍｍのふるい目上のものが使用され、黒ボク土２と混合されることによりブロックの中の通気性、吸水性、保水性が確保される。セメント４はポルトランドセメントが使用され、自然硬化により土壌還元型植栽ブロックとしての使用に対しては適度な強度が保持され、植物が定着した後には容易に崩壊するものである。以下に本発明に係る土壌還元型植栽ブロックの吸水性、植栽性能、強度に関して表１乃至表３、図３及び図４によりさらに詳細に説明する。
【００１６】
（吸水性実験）
表１に示す６種類の土壌還元型植栽ブロックに関し、ブロックの吸水性を知るために以下の条件にて吸水速度を調べた。すなわちブロックを透明なプラスチック容器に入れ、水道水を底から５ｍｍの高さまで入れ、５分間吸水高さを測定した。尚、測定時間は１０、２０、３０、４０、６０秒、以後１分毎とした。その結果を図３に示す。
【００１７】
【表１】
2006042668.tif 000003
【００１８】
図３に示すように、竹炭を含まない土壌還元型ブロックはいずれも吸水速度が遅いことが判明した。また容量比でセメントの比率が高い土壌還元型ブロックの方が吸水速度が速いことが分かった。とくに黒ボク土と竹炭とセメントの容量比が６：２：２、４：４：２の割合の土壌還元型ブロックの吸水速度が速い。
【００１９】
（植栽実験)
表１に示した６種類の土壌還元型植栽ブロックを各々３個用意し、トールフェスク（芝生の一品種）のアリッド３を各々１００粒播種し、播種済ブロックを種類毎に容器に入れ、室温２３〜２５℃で常時蛍光灯を灯火した。また水をブロックの１／３の高さまで入れ、水の量が一定になるように調整した。播種後１６日間生育状況を観測し、発芽した種子の数を数え、発芽率と発芽勢を求めた。その結果を表２並びに図４に示す。
（発芽率）＝発芽した種子数／播種した種子数×１００（％）
（発芽勢）＝１日に発芽した種子数／播種した種子数×１００（％）
【００２０】
【表２】
2006042668.tif 000004
【００２１】
表２及び図４に示すように、発芽率及び発芽勢共にセメントの容量比が低い土壌還元型ブロックの数値が低く、また黒ボク土と竹炭とセメントの容量比が６：２：２、４：４：２の割合の土壌還元型ブロックは発芽率、発芽勢共に高い数値を示した。
【００２２】
（強度測定実験）
表１に示した６種類の土壌還元型植栽ブロックに対し、山中式土壌強度計（Ａ型）ＹＨ−６２によって各々のブロックの強度を測定した。その結果を表３に示す。
【００２３】
【表３】
2006042668.tif 000005
【００２４】
表３に示すように、セメントの容量比が高い土壌還元型植栽ブロックの方がセメントの容量比が低い土壌還元型植栽ブロックよりも強度が１０倍以上高く、土壌還元型植栽ブロックとして施工する際の運搬時や据付時における損傷に充分耐えるものであり、しかも植栽によって植物が発芽し定着した後には容易に崩壊し土壌に還元されるものである。
【産業上の利用可能性】
【００２５】
本発明による土壌還元型植栽ブロックによれば、天然素材である黒ボク土と竹炭を使用しており、環境負荷が低くまた安価であるため、農業土木及び土木分野の河川護岸や法面緑化用の植栽ブロックとして、さらには公園の緑化あるいは造園用としても利用できる。
【図面の簡単な説明】
【００２６】
【図１】本発明に係る土壌還元型植栽ブロックの一実施例を示す斜視図である。
【図２】図１の模式拡大断面図である。
【図３】本発明に係る土壌還元型植栽ブロックの吸水速度を示す図である。
【図４】本発明に係る土壌還元型植栽ブロックの発芽勢を示す図である。
【符号の説明】
【００２７】
１            土壌還元型ブロック
２            黒ボク土
３            竹炭
４            セメント
【図１】
2006042668.tif 000006
【図２】
2006042668.tif 000007
【図３】
2006042668.tif 000008
【図４】
2006042668.tif 000009